(57)【要約】【課題】シューティング玩具（特にアーチェリー型のもの）であって、安全なものを提供すること。【解決手段】銃身２と、銃身２内に挿通され、その一端から出入可能な先端を有する打金４と、銃身２と打金４との間に設けられ、銃身２の基端から先端（銃口）に向けて打金４を付勢するスプリング３ａ，３ｂと、からシューティング玩具１が構成される。それにより、スプリング３ａ，３ｂにより打金４が銃身２内でその基端から先端（銃口）に向けて付勢されて、銃身２（銃口）から飛び出る打金４の先端により投射球Ｂが投射される。従って、安全なシューティング玩具が提供される。【選択図】図１
2015100490.tif 000002
【特許請求の範囲】
【請求項１】
標的に向けて球形の投射物を投射するシューティング玩具であって、
筒状部材と、
前記筒状部材内に挿通され、前記筒状部材の一端から出入可能な先端を有する棒状部材と、
前記筒状部材と前記棒状部材との間に設けられ、前記筒状部材の他端側から前記一端側に向けて前記棒状部材を付勢するスプリングとを備えることを特徴とする、シューティング玩具。
【請求項２】
前記棒状部材は、その先端に、前記筒状部材内で前記投射物を保持し、前記筒状部材外で放す保持具を有することを特徴とする、請求項１に記載のシューティング玩具。
【請求項３】
前記保持具は、前記筒状部材の内壁に当接して内側に曲がる複数の弾性部材を有し、該複数の弾性部材の先端を前記投射物以上の大きさに開いた状態と以下の大きさに閉じた状態とに開閉することを特徴とする、請求項１又は２に記載のシューティング玩具。
【請求項４】
前記筒状部材に固定される一端と、前記棒状部材の他端との間でそれぞれストリングが張られる他端と、を有する２つのリムをさらに備えることを特徴とする、請求項１〜３のいずれか一項に記載のシューティング玩具。
【請求項５】
前記筒状部材の前記リムを固定する部分は、固定位置を移動する固定位置移動機構を有することを特徴とする、請求項４に記載のシューティング玩具。
【請求項６】
請求項１〜５のいずれか一項に記載のシューティング玩具により前記投射物が投射される標的であって、
前記投射物の直径より大きい間隔を設けて複数の領域に区分けされた標的部と、
前記複数の領域ごとに投射された前記投射物が集められる回収部と、
を備えることを特徴とする、標的。
【請求項７】
前記複数の領域が同心円状であることを特徴とする、請求項６に記載の標的。
【発明の詳細な説明】
【技術分野】
【０００１】
本発明は、標的に向けて投射物を投射するシューティング玩具に関する。
【背景技術】
【０００２】
標的に向けて投射物を投射するシューティング玩具（例えば特許文献１参照）は、広く知られている。子供向けの玩具を提供するためには、安全な構成を採用することが望まれる。
特に、ダーツ、アーチェリー等の矢を投射するシューティング玩具においては、矢が人体に当たってしまうことの危険がある。特許文献２には安全な投射物が開示されているが、矢の形状ではなく、アーチェリー型の玩具に利用できるものではない。
【先行技術文献】
【特許文献】
【０００３】
【特許文献１】特開２０１３−１６３００５号公報
【特許文献２】特開２００６−１４１７４０号公報
【発明の概要】
【発明が解決しようとする課題】
【０００４】
本発明は、シューティング玩具（特にアーチェリー型のもの）であって、安全なものを提供することを課題とする。
【課題を解決するための手段】
【０００５】
本発明は、標的に向けて球状の投射物を投射するシューティング玩具であって、筒状部材と、前記筒状部材内に挿通され、前記筒状部材の一端から出入可能な先端を有する棒状部材と、前記筒状部材と前記棒状部材との間に設けられ、前記筒状部材の他端側から前記一端側に向けて前記棒状部材を付勢するスプリングと、を備えることを特徴とするシューティング玩具である。
【０００６】
これによれば、スプリングにより棒状部材が筒状部材内でその他端側から一端側に向けて付勢されて、筒状部材の一端から飛び出る棒状部材の先端により投射物が投射されるシューティング玩具が提供される。
【０００７】
また、本発明のシューティング玩具は、前記棒状部材は、その先端に、前記筒状部材内で前記投射物を保持し、前記筒状部材外で放す保持具を有することを特徴とする。
【０００８】
これによれば、棒状部材の先端が筒状部材内に位置する際に投射物が放たれることなく棒状部材に保持される。
【０００９】
また、本発明のシューティング玩具は、前記保持具は、前記筒状部材の内壁に当接して内側に曲がる複数の弾性部材を有し、該複数の弾性部材の先端を前記投射物以上の大きさに開いた状態と以下の大きさに閉じた状態とに開閉することを特徴とする。
【００１０】
これによれば、保持具は、筒状部材内でその内壁に当接して胴部が曲がり、それにより先端部が閉じることで投射物を保持し、筒状部材外で胴部がもとの形状に戻り、それにより先端部が開くことで投射物を放す。
【００１１】
また、本発明のシューティング玩具は、前記筒状部材に固定される一端と、前記棒状部材の他端との間でそれぞれストリングが張られる他端と、を有する２つのリムをさらに備えることを特徴とする。
【００１２】
これによれば、シューティング玩具がアーチェリーの弓の形状を構成する。
【００１３】
また、本発明のシューティング玩具は、前記筒状部材の前記リムを固定する部分は、固定位置を移動する固定位置移動機構を有することを特徴とする。
【００１４】
これによれば、使用者の体格に合わせた位置にリムを固定して使いやすいものとできる。
【００１５】
また、本発明は、本発明のシューティング玩具により前記投射物が投射される標的であって、前記投射物より大きい間隔を設けて複数の領域に区分けされた標的部と、前記複数の領域ごとに投射された前記投射物が集められる回収部と、を備えることを特徴とする標的である。
【００１６】
これによれば、投射された複数の領域ごとに分けて投射物を回収することができる。領域ごとに得点が定められている場合、多数回の投射にかかる総得点の計算が容易である。
【００１７】
また、本発明は、前記複数の領域が同心円状であることを特徴とする標的である。
【００１８】
これによれば、アーチェリー競技と同様に、中心ほど高得点とするものを実現することができる。
【発明の効果】
【００１９】
本発明のシューティング玩具によれば、アーチェリー型のシューティング玩具であって、安全なものが提供される。遊びながらアーチェリーのフォームを身につけるなど、アーチェリー競技を実感できる玩具となる。
【００２０】
また、本発明の標的によれば、投射された複数の領域ごとに分けて投射物を回収することができる標的が提供される。
【図面の簡単な説明】
【００２１】
【図１】図１は、シューティング玩具の構成を示す図である。
【図２】図２は、保持具の概略構成を示す図である。
【図３】図３は、ハンドルと銃身の概略構成を示す図である。
【図４】図４は、標的の概略構成を示す図である。
【発明を実施するための形態】
【００２２】
以下、本発明の一実施形態を、図１〜図３を用いて説明する。
【００２３】
図１に、本実施形態に係るアーチェリー型のシューティング玩具１の構成を示す。シューティング玩具１は、銃身２、スプリング３ａ，３ｂ、打金４、ハンドル５、一対のリム７、及びストリング８から構成される。なお、子供向けのシューティング玩具１として安全な樹脂製の投射球Ｂを投射物として採用する。図１に示す状態では、投射球Ｂが銃身２内に装填されている。
【００２４】
銃身２は、樹脂等から構成された円筒形状の部材であり、その中心軸上に挿通孔２ａが、その内部に空間部２ｂが、その内面には中心軸に平行な方向に延びる一対の溝部（不図示）が形成されている。なお、空間部２ｂは溝部を介して挿通孔２ａに連なる。
【００２５】
スプリング３ａ，３ｂは、金属製のコイルばねであり、銃身２の空間部２ｂ内にそれぞれ先端側及び基端側に配置される。スプリング３ａの長さは、打金４の先端から後述する一対の突出部４ｃまでの距離とほぼ等しい又は若干短く、スプリング３ｂの長さとの和は銃身２の長さにほぼ等しい又は若干短いものとする。本実施形態では、一例として、スプリング３ａ，３ｂの長さはそれぞれ銃身２の長さの約３分の１及び約３分の２とする。スプリング３ｂの長さだけ打金４が引かれるので、スプリング３ｂが長いことが好ましい。
【００２６】
打金４は、樹脂等から構成された棒状の胴部４ａを有する。その先端に保持具４ｂ、先端近傍の胴部４ａに一対の突出部４ｃ、基端に握部４ｄが設けられている。胴部４ａは銃身２の挿通孔２ａに基端側から挿入され、その先端の保持具４ｂを銃身２の先端側の開口（銃口）から出し入れすることができる。
【００２７】
図２に、保持具４ｂの構成を示す。保持具４ｂは、湾曲した複数（本実施形態では２）の板片を有する。２つの板片は、例えば金属、樹脂等の弾性部材から構成され、それぞれ打金４の先端の一側及び他側に内向きに固定されている。
【００２８】
保持具４ｂは、図２（Ａ）に示すように、打金４の先端が銃身２の挿通孔２ａ外に位置する際に、その２つの板片の先端を投射球Ｂより大きく広げる。この状態において、保持具４ｂに投射球Ｂを装填することができる。図２（Ｂ）に示すように打金４を引き、その先端を銃身２の挿通孔２ａ内に引き入れると、保持具４ｂは、２つの板片の湾曲部が挿通孔２ａの内面に当接して曲がることで、それらの先端を投射球Ｂよりも小さく閉じる。それにより、投射球Ｂが保持具４ｂ（すなわち打金４）に保持される。銃身２の先端を下に向けた場合でも、投射球Ｂが銃身２から転げ出てしまうことがない。この状態から再び打金４の先端を銃身２の挿通孔２ａ外に押し出すと、保持具４ｂが元の形状に戻ってその先端を広げることで、投射球Ｂが放たれる。
【００２９】
一対の突出部４ｃの一方（他方）は、打金４の胴部４ａの上側（下側）から突出し、銃身２の上側（下側）の溝部（不図示）を介して空間部２ｂ内にその先端を入れる。銃身２の先端と一対の突出部４ｃとの間にスプリング３ａが、銃身２の基端と一対の突出部４ｃとの間にスプリング３ｂが、それぞれ固定されている。
【００３０】
握部４ｄは、ユーザ（特に子供）が手（例えば右手）で握ることのできる大きさであり、握部４ｄを握り後方（図面右方）に引くことで、打金４の先端を銃身２の挿通孔２ａ内に引き入れることができる。
【００３１】
ハンドル５は、銃身２の基端近傍に固定されている。（銃身２とハンドル５を合わせて「筒状部材」である。）ハンドル５の下部にはグリップが設けられ、それを握部４ｄを握る手の逆手（例えば左手）で握ることでシューティング玩具１を支持することができる。ハンドル５の上部には、標的を拡大視可能（或いは擬似的）なスコープ或いは照準（不図示）が上下左右に可動に取り付けられている。
【００３２】
一対のリム７は、それらの基端がハンドル５の上端と下端にそれぞれ固定され、それらの先端と打金４の握部４ｄとの間にそれぞれストリング８が張られている。それにより、シューティング玩具１がアーチェリーの形状を構成する。
【００３３】
ハンドル５は、ネジ５ａによって銃身２に固定されている。銃身２には複数のネジ穴（ナット）が設けられ、ネジ５ａを螺入するネジ穴を選択することで、ハンドル５の固定位置を移動することができる。これにより、銃身２とリム７の相対位置が移動し、打金４（胴部４ａ）を最大に引いた場合の握部４ｄとリム７との距離が変動する。この距離は使用者の身長の２分の１程度とすることが好ましい。使用者の体格に応じてハンドル５の固定位置を移動することで、幼児から成人までのいずれの体格の使用者にも使いやすいものとなる。
【００３４】
図３にハンドルと銃身の概略構成を示す。ハンドル５は、銃身２の周囲を覆い、複数方向（本実施例では９０度間隔の４方向）にネジ５ａを有する。複数のネジ５ａによって銃身２に安定して固定される。
【００３５】
ストリング８は、弱いゴム、メリヤス紐、その他小さな張力のものとする。使用者（子供）の安全のためである。
【００３６】
上述の構成のシューティング玩具１の使い方について説明する。
【００３７】
最初に、投射球Ｂを装填する。左手でハンドル５を握ってシューティング玩具１を支持し、右手で握部４ｄを握って打金４を銃身２（挿通孔２ａ）内に押し込み、その先端（保持具４ｂ）を銃身２の開口（銃口）から出す。それにより、保持具４ｂは図２（Ａ）に示すように２つの板片の先端を開ける。そこで、先述の通り保持具４ｂ内に投射球Ｂを入れる。次に、右手で握部４ｄを握って打金４を引き、その先端（保持具４ｂ）を挿通孔２ａ内に入れる。それにより、保持具４ｂは、図２（Ｂ）に示すように２つの板片の先端を閉じて、投射球Ｂを保持する。
【００３８】
次に、装填した投射球Ｂを撃つ。投射球Ｂが保持具４ｂに保持された状態で、さらに右手で握部４ｄを握って打金４を引く。このとき、一対の突出部４ｃが空間部２ｂ内を基端側に引かれ、スプリング３ａ，３ｂにより打金４が銃身２の基端から先端に向けて付勢される。最後に、スコープ（不図示）等を用いて照準を合わせて、握部４ｄを握る右手を放す。それにより、打金４の先端が勢いよく銃身２の開口（銃口）から飛び出し、保持具４ｂが広がることで、投射球Ｂが放たれる。
【００３９】
投射球Ｂは、人体に当たってしまうこともあるので、安全なもの、例えば５ｍｍ程度の直径のプラスチック球とする。
【００４０】
図４に、本実施形態のシューティング玩具１により投射球Ｂが投射される標的１０の構成を示す。標的１０は、筐体１２、標的部１４、及び回収部１８から構成される。
【００４１】
筐体１２は、樹脂等から構成され、標的部１４を保持する半円筒状の天井部と回収部１８を支持する直方体状の底部とを有する。
【００４２】
標的部１４は、直径及び長さの異なる複数（本実施形態では１０）の円筒状部材１４ａを含み、それらを互いに投射球Ｂの直径以上の間隙を隔てて中心軸を揃えて正面視同心円状に配置して構成されている。円筒状部材１４ａは、直径の小さいものほど軸方向の長さが長く、互いに支持部材（不図示）を介して固定されている。１０の円筒状部材１４ａにより構成される９の間隙及び中心の円筒状部材１４ａの内側より、投射球Ｂが投射される１０の投射領域１４ｂが形成される。
【００４３】
円筒状部材１４ａの内部が着色され、実際のアーチェリー競技の的（中心部が黄色、その周縁が赤色、その更に周縁が青色．．．）と同色になっている。
【００４４】
回収部１８は、複数（本実施形態では投射領域１４ｂの数に等しい１０とする）の箱体１８ａを正面視横方向に並設して構成されている。なお、１０の箱体１８ａの表面に、１から１０の番号（得点）が付されている。
【００４５】
１０の箱体１８ａは、投射球Ｂの直径より大きな直径を有する管状部材１６ａを介して、それぞれ異なる投射領域１４ｂに接続されている。それにより、各投射領域１４ｂに投射された投射球Ｂは、その投射領域１４ｂに接続された管状部材１６ａを介して対応するいずれかの箱体１８ａに回収される。例えば中心の投射領域１４ｂに投射された投射球Ｂは、その投射領域１４ｂに接続された管状部材１６ａを介して最左の箱体１８ａ（得点１０）に回収される。投射領域１４ｂごとに分けて投射球Ｂを回収することができるとともに、箱体１８ａの表面に付された得点に従って総得点を計算することができる。
【００４６】
箱体１８ａの表面を透明にすることで、内部の球数を視認することができ、総得点の計算が容易である。また、箱体１８ａの幅を投射球Ｂの直径より少しだけ大きいものとすれば、各箱体１８ａの中で投射球Ｂが縦に重なり、投射球Ｂの高さによって得点別のグラフのように見ることができる。
【００４７】
投射球Ｂが直接には投射領域１４ｂに入らず、円筒状部材１４ａの周縁に当たってしまう場合が問題となり得る。しかし、円筒状部材１４ａの周縁を投射球Ｂに対する反発係数が小さいものとする（例えばスポンジを貼付する）ことで、その直下の投射領域１４ｂに投射球Ｂを入れることができる。このためには、標的部１４を図３（Ｂ）のように傾斜させればよい。公式のアーチェリー競技においても１０度程度の傾斜角θを持たせており、シューティング玩具においてそれより大きなθの値としても支障はない。また、中心の左右の（円筒状部材１４ａの周縁が略上下方向に延伸している）箇所においては直下の投射領域１４ｂに投射球Ｂを入れることができない場合も考えられるが、技量を競う競技ではなく玩具としての使用であり問題ない。
【００４８】
なお、箱体１８ａ内の球を回収することを容易にするため、箱体１８ａの下縁に移動板を設け、移動板を移動させて箱体１８ａ内の球を下方に落とし、その球を回収するトレイを設けてもよい。
【００４９】
以上詳細に説明したように、本実施形態のシューティング玩具１は、銃身２と、銃身２内に挿通され、その一端から出入可能な先端を有する打金４と、銃身２と打金４との間に設けられ、銃身２の基端から先端（銃口）に向けて打金４を付勢するスプリング３ａ，３ｂと、から構成される。それにより、スプリング３ａ，３ｂにより打金４が銃身２内でその基端から先端（銃口）に向けて付勢されて、銃身２（銃口）から飛び出る打金４の先端により投射球Ｂが投射される。従って、安全なシューティング玩具が提供される。
【００５０】
また、本実施形態の標的１０は、投射物Ｂより大きい間隔を設けて複数の投射領域１４ｂに区分けされた標的部１４と、複数の投射領域１４ｂごとに投射された投射球Ｂが集められる回収部１８と、から構成される。それにより、投射された複数の投射領域１４ｂごとに分けて投射球Ｂを回収することができる。
【００５１】
なお、スプリング３ａ，３ｂの長さ、強度（すなわち、ばね定数）は適宜選択可能とする。それにより、投射球Ｂを打ち出す力を調整することができる。また、銃身２の外側から空間部２ｂ内に螺入されるネジ（不図示）を設け、これを用いてスプリング３ａ，３ｂの可変長等を調整することにより、投射球Ｂを打ち出す強度を調整することとしてもよい。
【００５２】
また、本実施形態では、一対のリム７はアーチェリーの形状を構成する飾りであるが、弾性部材を用いて形成し、ストリング８に一定の張力を加える構成を採用しても良い。
【産業上の利用可能性】
【００５３】
本発明のシューティング玩具は、特に子供向けの安全な玩具として好適である。また、本発明の標的は、投射物を回収するのに好適である。多くの玩具製造業者による利用が期待される。
【符号の説明】
【００５４】
１…シューティング玩具
２…銃身
２ａ…挿通孔
２ｂ…空間部
３ａ，３ｂ…スプリング
４…打金
４ａ…胴部
４ｂ…保持具
４ｃ…突出部
４ｄ…握部
５…ハンドル
５ａ…ネジ
７…リム
８…ストリング
１０…標的
１２…筐体
１４…標的部
１４ａ…円筒状部材
１４ｂ…投射領域
１６ａ…管状部材
１８…回収部
１８ａ…箱体 
【図１】
2015100490.tif 000003
【図２】
2015100490.tif 000004
【図３】
2015100490.tif 000005
【図４】
2015100490.tif 000006